(57)【要約】  【課題】オフラインの媒体に掲載された広告の広告効果を測定する、測定装置および広告効果測定方法を提供する。  【解決手段】応募者端末１１と情報管理装置２とは、インターネット９に接続される。情報管理装置２は、データベースサーバー３、メールサーバー５、ＷＥＢサーバー４を有し、オフラインの広告に対するアンケート情報３３を応募者端末１１にインターネット９を介して送り、その回答を応募者端末１１から受けとる。応募者端末１１は、情報管理装置２により決定され応募者端末１１毎に定められた応募者端末１１のメールアドレスを含むＵＲＬに接続する。応募者端末１１から送信された広告情報３２に基づき、情報管理装置２から応募者端末１１に送信されたアンケート情報３３と情報管理装置２に返信されるアンケート回答情報とによって前記広告効果測定を行う。  【選択図】図１
2005085135.tif 000002
【特許請求の範囲】
【請求項１】
インターネットに接続可能な電子メール送受信機能とワールドワイドウェブページ閲覧機能とを有する応募者端末と、オフラインの各種媒体を用いてなされる広告に対するアンケート情報を前記応募者端末にインターネットを介して送り、その回答を前記応募者端末から受けとる情報管理装置とから構成される広告効果測定装置において、
前記情報管理装置は、少なくとも前記応募者端末から応募した応募者の属性を示す応募者情報と、各企業を特定する企業情報と、該各企業が提供するオフラインの各種媒体に掲載された広告を特定する広告情報と、該広告情報に対応付けられ前記広告に対するアンケート情報と、アンケート回答情報と、前記応募者情報を入力するためのフォーマット情報である応募者登録情報とを含むデータベースを備えると共に、前記応募者端末毎に定められたユニフォームリソースロケータを作成し、
前記情報管理装置により作成された前記応募者端末毎に定められたユニフォームリソースロケータにインターネットを介して接続された前記応募者端末から送信された前記広告情報に基づき、前記情報管理装置により検索され前記応募者端末に送信された、前記広告情報に対応したアンケート情報と前記情報管理装置に返信されるアンケート回答情報とによって前記広告効果測定を行うことを特徴とする広告効果測定装置。
【請求項２】
前記応募者端末毎に定められたユニフォームリソースロケータの情報は、予め定められた応募者登録用ユニフォームリソースロケータに接続した前記応募者端末に、前記情報管理装置から送信された応募者登録用メールアドレスリンクつきワールドワイドウェブページの前記応募者登録用メールアドレスに応募者端末から送信した送信メールに対して返信される、返信メールに含まれていることを特徴とする請求項１に記載の広告効果測定装置。
【請求項３】
前記応募者端末毎に定められたユニフォームリソースロケータは、少なくとも前記応募者端末に付与されたメールアドレスを固定長の疑似乱数で表したデータを含むことを特徴とする請求項１又は２に記載の広告効果測定装置。
【請求項４】
前記応募者端末の前記情報管理装置へのアクセス権は、前記応募者端末が該応募者端末毎に定められたユニフォームリソースロケータで示される情報管理装置に接続し、該情報管理装置により接続が許可されることにより得られることを特徴とする請求項１に記載の広告効果測定装置。
【請求項５】
前記情報管理装置内に取得されたアンケート情報のサンプル数が、当該応募者端末を使用する応募者の年齢層毎に予め定められたサンプル数に達した時、当該年齢層応募者のアクセス権は、前記情報管理装置により拒否されることを特徴とする請求項１に記載の広告効果測定装置。
【請求項６】
前記情報管理装置は、応募者属性格納手段を備え、前記応募者端末が該応募者端末毎に定められたユニフォームリソースロケータで示される前記情報管理装置に接続された時、当該応募者端末には、少なくとも、前記応募者属性格納手段内にある当該情報管理装置によって与えられる応募者端末毎に定められたアクセス奨励情報が表示されることを特徴とする請求項１に記載の広告効果測定装置。
【請求項７】
前記情報管理装置は、応募者属性格納手段を備え、前記アンケート情報に対応する回答情報を前記応募者端末から受信して、前記応募者属性格納手段内にある当該情報管理装置によって与えられる応募者端末毎に定められたアクセス奨励情報を更新することを特徴とする請求項１に記載の広告効果測定装置。
【請求項８】
前記情報管理装置は、応募者属性格納手段を備え、前記応募者端末が前記応募者端末毎に定められたユニフォームリソースロケータで示される前記情報管理装置に接続された時、当該応募者端末には、対象広告の掲載予定日と共に、広告主、広告媒体名及び掲載場所が表示されることを特徴とする請求項１に記載の広告効果測定装置。
【請求項９】
前記予め定められた応募者登録用ユニフォームリソースロケータに接続した前記応募者端末に、前記情報管理装置から送信された応募者登録用メールアドレスリンクつきワールドワイドウェブページの前記応募者登録用メールアドレスに応募者端末から送信した送信メールに対して返信される、返信メールに含まれている応募者端末毎に定められたユニフォームリソースロケータの情報は、前記応募者登録用メールアドレスに応募者端末から送信した送信メールのメールアドレスが既に登録されている場合には、既に登録済みの応募者端末毎に定められたユニフォームリソースロケータの情報を返信メールとして送信することを特徴とする請求項１に記載の広告効果測定装置。
【請求項１０】
請求項１乃至９に記載の広告効果測定装置を利用する広告効果測定方法であって、応募者端末から広告効果測定事業者への応募者登録用ユニフォームリソースロケータに接続して応募者登録を行って応募者端末毎に定められたユニフォームリソースロケータを取得すると共に、
オフライン上の広告媒体に掲載した広告の広告効果測定を希望する顧客と情報管理装置を有する広告効果測定事業者との間で、少なくともオフライン上の広告媒体に掲載された広告を特定する広告情報を決定し、
前記応募者端末毎に定められたユニフォームリソースロケータにより、インターネットを介して接続される前記情報管理装置のアクセス権を取得して、前記応募者端末から前記広告情報を前記情報管理装置に送信し、
該送信された広告情報に対応するアンケート情報を前記情報管理装置から前記応募者端末に送信し、
該送信されたアンケート情報に基づきアンケート回答情報を前記応募者端末から前記情報管理装置に送信することによってアンケート回答情報の収集を行い広告効果測定を行うことを特徴とする広告効果測定方法。
【請求項１１】
前記応募者端末毎に定められたユニフォームリソースロケータの情報は、予め定められた応募者登録用ユニフォームリソースロケータに接続した前記応募者端末に、前記情報管理装置から送信された応募者登録用メールアドレスリンクつきワールドワイドウェブページの前記応募者登録用メールアドレスに応募者端末から送信した送信メールに対して返信される、返信メールに含まれていることを特徴とする請求項１０に記載の広告効果測定方法。
【請求項１２】
前記応募者端末毎に定められたユニフォームリソースロケータは、少なくとも前記応募者端末に付与されたメールアドレスを固定長の疑似乱数で表したデータを含むことを特徴とする請求項１０に記載の広告効果測定方法。
【請求項１３】
前記応募者端末毎に定められたユニフォームリソースロケータの情報は、予め定められた応募者用ユニフォームリソースロケータに接続した前記応募者端末に前記情報管理装置から送信された応募者登録用メールアドレスリンクつきワールドワイドウェブページの前記応募者登録用メールアドレスに応募者端末から送信した送信メールに対して返信される、返信メールに含まれていることを特徴とする請求項１０に記載の広告効果測定方法。
【請求項１４】
前記応募者端末が前記応募者端末毎に定められたユニフォームリソースロケータで示される前記情報管理装置に接続された時、当該応募者端末には、少なくとも、前記情報管理装置に保存され当該情報管理装置によって与えられる応募者端末毎に定められたアクセス奨励情報が表示されることを特徴とする請求項１０に記載の広告効果測定方法。
【請求項１５】
前記アンケート情報に対応する回答情報を前記応募者端末から受信して、前記情報管理装置に保存され当該情報管理装置によって与えられる当該応募者端末毎に定められたアクセス奨励情報を更新することを特徴とする請求項１０に記載の広告効果測定方法。
【請求項１６】
前記応募者端末が前記応募者端末毎に定められたユニフォームリソースロケータで示される前記情報管理装置に接続された時、当該応募者端末には、対象広告の掲載予定日と共に、広告主、広告媒体名及び掲載場所が表示されることを特徴とする請求項１０に記載の広告効果測定方法。
【請求項１７】
前記予め定められた応募者登録用ユニフォームリソースロケータに接続した前記応募者端末に、前記情報管理装置から送信された応募者登録用メールアドレスリンクつきワールドワイドウェブページの前記応募者登録用メールアドレスに応募者端末から送信した送信メールに対して返信される、返信メールに含まれている応募者端末毎に定められたユニフォームリソースロケータの情報は、前記応募者登録用メールアドレスに応募者端末から送信した送信メールのメールアドレスが既に登録されている場合には、既に登録済みの応募者端末毎に定められたユニフォームリソースロケータの情報を返信メールとして送信することを特徴とする請求項１０に記載の広告効果測定方法。
【発明の詳細な説明】
【技術分野】
【０００１】
本発明は、インターネットに接続可能な応募者端末とインターネットに接続された管理装置との間でデータの授受を行い、オフラインの各種媒体に掲載された広告に同時に掲載される広告情報を用いて、該広告情報に対応付けられたアンケート情報を前記応募者端末に送信して広告効果を測定する、測定装置および広告効果測定方法に関する。
【背景技術】
【０００２】
近年、携帯電話の普及に伴なって、携帯電話からオフライン上のキャンペーン又は広告媒体による広告効果測定への応募を募り、キャンペーンの応募受付や広告媒体毎の広告効果を測定する、例えば特許文献１のような広告効果測定管理システムがある。かかる広告効果測定管理システムは、オフラインでの企業の各種広告媒体における広告効果を評価するコンピュータシステムである。各企業が提供するキャンペーン又は広告媒体を特定するキャンペーン特定情報と、キャンペーン又は広告媒体に対応付けられた電子メール（以下、電子メールを単にメールと略記する。）アドレスとを含むキャンペーン・データベースと、広告媒体に掲載されたメールアドレスを用いてキャンペーン又は広告媒体による広告効果測定に応募した応募者の入力情報が登録される応募データベースとを備えている。キャンペーン又は広告媒体による広告効果測定を、インターネットを含む通信ネットワークを介して応募者が広告媒体に掲載されたメールアドレス宛てに携帯無線端末より電子メールを送信することによって行い、オンラインによる広告効果を加味することで正確な広告効果を測定するものである。
【０００３】
前記広告効果測定管理システムにおける懸賞応募等の処理は以下のようである。前記広告効果測定管理システムに対して、応募者は、応募者登録を済ませているものとする。かかる状態で、
（ａ）応募者は、携帯無線端末から、広告媒体などに掲載されている、広告毎に定められたメールアドレス宛てに空のメールを送信する。
（ｂ）ネットワーク装置内のメールサーバー側に用意されているメールアドレス毎のメールボッスで応募者の空のメールからメールアドレスを取得する。
（ｃ）ネットワーク装置は、応募データベースを検索してキャンペーン応募者本人であることの確認を行う。
（ｄ）ネットワーク装置は、該当キャンペーンの懸賞応募ページ用ユニフォームリソースロケータ（以下、「ＵＲＬ」と略記する）リンク付きのメールを作成し、メールサーバーを介して応募者のアドレスへメールとして送信する。
（ｅ）「ＵＲＬ」リンク付きのメールを受信した応募者は、前記街頭キャンペーン等の情報提供用の「ＵＲＬ」を指定し、ワールドワイドウェブブラウザを介して懸賞応募等をする。（以下、ワールドワイドウェブをＷｅｂと略記する。）
【０００４】
【特許文献１】特開２００２−１４０６１６号公報
【発明の開示】
【発明が解決しようとする課題】
【０００５】
ネットワーク装置は、広告媒体などに掲載され、「広告毎に定められたメールアドレス」と該当キャンペーンの懸賞応募ページ用「ＵＲＬ」とを一元管理する必要がある。しかし、前記広告毎に定められているメールアドレスは、該当キャンペーン毎に変更される。このように、一般的に実用的なメールアドレスの数に制限がある広告毎に常に変更されるメールアドレスと該当キャンペーンの懸賞応募ページ用「ＵＲＬ」とを関連付けて管理することは、運用上、好ましくない場合がある。
【０００６】
また、該当キャンペーンの懸賞応募ページには、当該キャンペーンの具体的な内容を該当キャンペーン毎に格納しているデータベースが多数必要である。そして、ネットワーク装置は、広告毎に定められているメールアドレスと該当キャンペーンの懸賞応募ページ用「ＵＲＬ」とによって前記データベースの中から検索して、前記応募者端末に表示せねばならない。
【０００７】
更に、ネットワーク装置は、広告毎に定められたメールアドレスに接続して応募者が応募してきた時、該当キャンペーンの懸賞応募ページ用「ＵＲＬ」リンク付きのメールを応募者に送信する。かかる場合、応募者は、まずメールサーバーにログインして、ネットワーク装置から送られてきた懸賞応募ページ用「ＵＲＬ」にリンクする。この時点からネットワーク装置は、メールサーバーからウエブサーバーに切りかえる。更に、応募者登録は応募の回答を受けつけてから行う。一方、応募者が複数回の応募をした場合のチェックは、メールサーバーが行うので、メールサーバーとウエブサーバーとの間で、密接な情報の授受が必要になる。
【０００８】
応募者は、該当キャンペーンの懸賞に応募する場合、広告媒体などに掲載されている広告毎に定められたメールアドレスに空のメールを送信し、該当キャンペーンの懸賞応募ページ用「ＵＲＬ」を取得し、更に前記「ＵＲＬ」を指定し、Ｗｅｂブラウザを介して懸賞応募をせねばならない。このように、応募者は、該当キャンペーンの懸賞に応募するためには、広告媒体などに掲載されているメールアドレスを入力し、送られてきた該当キャンペーンの懸賞応募ページ用「ＵＲＬ」にアクセスする必要がある。前記広告媒体などに掲載されている前記メールアドレスは、該当キャンペーン毎に変更されるので、応募者は、広告媒体などに掲載されているメールアドレスをその都度入力する必要がある。しかし、一般にメールアドレスは、英数字、記号などを含み、また文字数も多いのが一般的である。そのために携帯端末などのようにキー数の少ない端末からその都度入力する場合、入力が面倒であると共に、時間がかかり、間違いも発生する場合がある。
【０００９】
更に、広告媒体などに掲載されているメールアドレスをその場で入力しない場合、かかる広告媒体などに掲載されているメールアドレスを暗記することは難しく、通常、何かに記録・保存しておき、後で入力せねばならず、煩雑である。また、前記広告媒体などに掲載されているメールアドレスの入力を間違えた場合、再度接続する必要があり、面倒であると共に、その都度、応募者には通信費がかかり、応募者に対して何らかのインセンティブがあっても、応募者に不利益がかかる場合がある。また、応募毎にメールサーバーにログインして、応募の途中からウエブサーバーに接続し、応募の回答をしてから応募者登録をするために、応募終了までの時間が長くなり、途中で通信不良が生じる場合もある。かかる場合、応募者は最初からやり直さねばならない。
【００１０】
応募者は、該当キャンペーンの懸賞に応募する場合、広告媒体などに掲載されている広告毎に定められたメールアドレスに空のメールを送信する。即ち、送信された応募者のメールアドレスに対して、キャンペーンの懸賞応募ページ用「ＵＲＬ」が返信される。そして、応募者登録は、かかる応募者のメールアドレスをベースにしている。したがって、応募者のメールアドレスを変更した場合、既に登録している応募者にも係らず、新たな応募者として登録される。その結果、応募者のメールアドレスを変更した場合には、応募に対して与えられるポイントなどのインセンティブが無効となってしまう。
【課題を解決するための手段】
【００１１】
上記課題を解決するために、請求項１に記載の広告効果測定装置は、インターネットに接続可能な電子メール送受信機能とワールドワイドウェブページ閲覧機能とを有する応募者端末と、オフラインの各種媒体を用いてなされる広告に対するアンケート情報を前記応募者端末にインターネットを介して送り、その回答を前記応募者端末から受けとる情報管理装置とから構成される広告効果測定装置において、前記情報管理装置は、少なくとも前記応募者端末から応募した応募者の属性を示す応募者情報と、各企業を特定する企業情報と、該各企業が提供するオフラインの各種媒体に掲載された広告を特定する広告情報と、該広告情報に対応付けられ前記広告に対するアンケート情報と、アンケート回答情報と、前記応募者情報を入力するためのフォーマット情報である応募者登録情報とを含むデータベースを備えると共に、前記応募者端末毎に定められたユニフォームリソースロケータを作成し、前記情報管理装置により作成された前記応募者端末毎に定められたユニフォームリソースロケータにインターネットを介して接続された前記応募者端末から送信された前記広告情報に基づき、前記情報管理装置により検索され前記応募者端末に送信された、前記広告情報に対応したアンケート情報と前記情報管理装置に返信されるアンケート回答情報とによって前記広告効果測定を行うことを特徴とする。
【００１２】
請求項２に記載の広告効果測定装置では、前記応募者端末毎に定められた「ＵＲＬ」の情報は、予め定められた応募者登録用「ＵＲＬ」に接続した前記応募者端末に、前記情報管理装置から送信された応募者登録用メールアドレスリンクつきワールドワイドウェブページの前記応募者登録用メールアドレスに応募者端末から送信した送信メールに対して返信される、返信メールに含まれていることを特徴とする。
【００１３】
請求項３に記載の広告効果測定装置では、前記応募者端末毎に定められた「ＵＲＬ」は、少なくとも前記応募者端末に付与されたメールアドレスを固定長の疑似乱数で表したデータを含むことを特徴とする。
【００１４】
請求項４に記載の広告効果測定装置では、前記応募者端末の前記情報管理装置へのアクセス権は、前記応募者端末が該応募者端末毎に定められた「ＵＲＬ」で示される情報管理装置に接続し、該情報管理装置により接続が許可されることにより得られることを特徴とする。
【００１５】
請求項５に記載の広告効果測定装置では、前記情報管理装置内に取得されたアンケート情報のサンプル数が、当該応募者端末を使用する応募者の年齢層毎に予め定められたサンプル数に達した時、当該年齢層応募者のアクセス権は、前記情報管理装置により拒否されることを特徴とする。
【００１６】
請求項６に記載の広告効果測定装置では、前記情報管理装置は、応募者属性格納手段を備え、前記応募者端末が前記応募者端末毎に定められた「ＵＲＬ」で示される前記情報管理装置に接続された時、当該応募者端末には、少なくとも、前記応募者属性格納手段内にある当該情報管理装置によって与えられる応募者端末毎に定められたアクセス奨励情報が表示されることを特徴とする。
【００１７】
請求項７に記載の広告効果測定装置では、前記情報管理装置は、応募者属性格納手段を備え、前記アンケート情報に対応する回答情報を前記応募者端末から受信して、前記応募者属性格納手段内にある当該情報管理装置によって与えられる応募者端末毎に定められたアクセス奨励情報を更新することを特徴とする。
【００１８】
請求項８に記載の広告効果測定装置では、前記情報管理装置は、応募者属性格納手段を備え、前記応募者端末が前記応募者端末毎に定められた「ＵＲＬ」で示される前記情報管理装置に接続された時、当該応募者端末には、対象広告の掲載予定日と共に、広告主、広告媒体名及び掲載場所が表示されることを特徴とする。
【００１９】
請求項９に記載の広告効果測定装置では、前記予め定められた応募者登録用「ＵＲＬ」に接続した前記応募者端末に、前記情報管理装置から送信された応募者登録用メールアドレスリンクつきワールドワイドウェブページの前記応募者登録用メールアドレスに応募者端末から送信した送信メールに対して返信される、返信メールに含まれている応募者端末毎に定められた「ＵＲＬ」の情報は、前記応募者登録用メールアドレスに応募者端末から送信した送信メールのメールアドレスが既に登録されている場合には、既に登録済みの応募者端末毎に定められた「ＵＲＬ」の情報を返信メールとして送信することを特徴とする。
【００２０】
請求項１０に記載の広告効果測定方法は、請求項１乃至９に記載の広告効果測定装置を利用する広告効果測定方法であって、応募者端末から広告効果測定事業者への応募者登録用「ＵＲＬ」に接続して応募者登録を行って応募者端末毎に定められた「ＵＲＬ」を取得すると共に、オフライン上の広告媒体に掲載した広告の広告効果測定を希望する顧客と情報管理装置を有する広告効果測定事業者との間で、少なくともオフライン上の広告媒体に掲載された広告を特定する広告情報を決定し、前記応募者端末毎に定められた「ＵＲＬ」により、インターネットを介して接続される前記情報管理装置のアクセス権を取得して、前記応募者端末から前記広告情報を前記情報管理装置に送信し、該送信された広告情報に対応するアンケート情報を前記情報管理装置から前記応募者端末に送信し、該送信されたアンケート情報に基づきアンケート回答情報を前記応募者端末から前記情報管理装置に送信することによってアンケート回答情報の収集を行い広告効果測定を行うことを特徴とする。
【００２１】
請求項１１に記載の広告効果測定方法では、前記応募者端末毎に定められた「ＵＲＬ」の情報は、予め定められた応募者登録用「ＵＲＬ」に接続した前記応募者端末に、前記情報管理装置から送信された応募者登録用メールアドレスリンクつきワールドワイドウェブページの前記応募者登録用メールアドレスに応募者端末から送信した送信メールに対して返信される、返信メールに含まれていることを特徴とする。
【００２２】
請求項１２に記載の広告効果測定方法では、前記応募者端末毎に定められた「ＵＲＬ」は、少なくとも前記応募者端末に付与されたメールアドレスを固定長の疑似乱数で表したデータを含むことを特徴とする。
【００２３】
請求項１３に記載の広告効果測定方法では、前記応募者端末毎に定められた「ＵＲＬ」の情報は、予め定められた応募者用「ＵＲＬ」に接続した前記応募者端末に前記情報管理装置から送信された応募者登録用メールアドレスリンクつきワールドワイドウェブページの前記応募者登録用メールアドレスに応募者端末から送信した送信メールに対して返信される、返信メールに含まれていることを特徴とする。
【００２４】
請求項１４に記載の広告効果測定方法では、前記応募者端末が前記応募者端末毎に定められた「ＵＲＬ」で示される前記情報管理装置に接続された時、当該応募者端末には、少なくとも、前記情報管理装置に保存され当該情報管理装置によって与えられる応募者端末毎に定められたアクセス奨励情報が表示されることを特徴とする。
【００２５】
請求項１５に記載の広告効果測定方法では、前記アンケート情報に対応する回答情報を前記応募者端末から受信して、前記情報管理装置に保存され当該情報管理装置によって与えられる当該応募者端末毎に定められたアクセス奨励情報を更新することを特徴とする。
【００２６】
請求項１６に記載の広告効果測定方法では、前記応募者端末が前記応募者端末毎に定められた「ＵＲＬ」で示される前記情報管理装置に接続された時、当該応募者端末には、対象広告の掲載予定日と共に、広告主、広告媒体名及び掲載場所が表示されることを特徴とする。
【００２７】
請求項１７に記載の広告効果測定方法では、前記予め定められた応募者登録用「ＵＲＬ」に接続した前記応募者端末に、前記情報管理装置から送信された応募者登録用メールアドレスリンクつきワールドワイドウェブページの前記応募者登録用メールアドレスに応募者端末から送信した送信メールに対して返信される、返信メールに含まれている応募者端末毎に定められた「ＵＲＬ」の情報は、前記応募者登録用メールアドレスに応募者端末から送信した送信メールのメールアドレスが既に登録されている場合には、既に登録済みの応募者端末毎に定められた「ＵＲＬ」の情報を返信メールとして送信することを特徴とする。
【発明の効果】
【００２８】
本発明の広告効果測定装置は、インターネットに接続可能な電子メール送受信機能とＷｅｂページ閲覧機能とを有する応募者端末と、オフラインの各種媒体を用いてなされる広告に対するアンケート情報を前記応募者端末にインターネットを介して送り、その回答を前記応募者端末から受けとる情報管理装置とから構成される広告効果測定装置である。前記応募者端末は、前記情報管理装置により決定された前記応募者端末毎に定められた「ＵＲＬ」に接続されるので、オフラインの各種媒体に掲載された広告毎に応募者が接続先を変えて接続する必要がない。また、応募者端末毎に定められた「ＵＲＬ」により接続するので、ログインのためのパスワード入力などの本人確認のステップを省略しても、本人確認ができる。そのため、情報管理装置への接続とログインとが、安全に、迅速に行える。更に、情報管理装置は、前記広告と共に掲載される広告情報を前記端末から受信して、前記広告情報に対応付けられたアンケート情報を直接検索して端末に送信するので検索時間の短縮とシステムの簡略化が図れる。
【００２９】
また、請求項１乃至９に記載の広告効果測定装置を利用する広告効果測定方法は、前記広告効果測定装置が有する特徴を備えると共に、オフラインの各種媒体に掲載された広告に同時に掲載される広告情報を用いて、広告効果の掌握が難しいオフラインの広告、例えば新聞に掲載された広告などの効果を簡単に測定できる。特に、購読者の範囲、属性が特定できる新聞広告などは、その効果が大である。
【発明を実施するための最良の形態】
【００３０】
以下、本発明における広告効果測定装置の実施の形態について図を参照して説明する。図１において、情報管理装置２には、データベースサーバー３とウエブサーバー４及びメールサーバー５が備えられている。データベースサーバー３には、ウエブサーバー４とメールサーバー５とが接続され、またウエブサーバー４とメールサーバー５とが、それぞれ接続されている。情報管理装置２内のウエブサーバー４とメールサーバー５とが、インターネット通信回線９に接続されている。応募者がアンケート応募者の登録、アンケート回答などに使用するメール送受信機能とＷｅｂブラウザ機能を有する携帯無線端末（以下、応募者端末と称す）１１は、通信事業者基地局１を介してインターネット通信回線９に接続されている。応募者端末１１としては、携帯電話機などの他、無線通信機能を備えた各種モバイル端末（ＰＤＡ情報端末、パームトップコンピュータ、ノートパソコンなど）が使用可能である。
【００３１】
データベースサーバー３には、後述する応募者情報３０、企業情報３１、広告情報３２、アンケート情報３３、応募者登録情報３４が収納され、前記各情報を検索処理する検索プログラムが格納されている。ウエブサーバー４には、応募者端末１１のＷｅｂブラウザ機能を用いて互いにデータを授受するデータ処理プログラムとして、周知のウエブサーバー処理プログラム４０の他に、応募者登録プログラム４１、広告情報管理プログラム４２の各処理プログラムがそれぞれ収納されている。メールサーバー５には、周知のメール送受信プログラム５０、メール解析プログラム５１、データベース登録プログラム５２、応募者端末固有「ＵＲＬ」作成プログラム５３の各処理プログラムがそれぞれ収納されている。なお、前記データベースサーバー３、ウエブサーバー４、メールサーバー５とが、それぞれ有するデータ及び処理プログラムの分担は、前記以外であっても、以下に述べる本発明の機能を満足するものであればよい。
【００３２】
前記応募者端末１１は、インターネットに接続可能な電子メール送受信機能とＷｅｂページ閲覧機能とを有する携帯型無線端末であることにより、持ち歩き可能であると共に、容易にインターネットに接続でき、オフラインの各種媒体に掲載された広告情報３２をその場で入力して情報管理装置２に送信し、アンケートに回答することができる。
【００３３】
図２により、本発明における広告効果測定装置の実施の形態を、顧客募集（図２（ａ）参照）、応募者募集（図２（ｂ）参照）、広告効果測定（図２（ｃ）参照）の３つに分けて説明する。顧客募集は、例えば新聞または折りこみ広告等のようなオフライン上の広告媒体に掲載した広告の、広告効果測定を希望する顧客の応募を募る処理である。応募者募集は、前記顧客が掲載した広告についての広告効果測定に参加する、応募者端末１１を有する応募者を募集する処理である。広告効果測定は、前記応募者から実際に広告効果のデータを収集する処理である。
【００３４】
図２（ａ）により顧客募集の処理の概略について以下に説明する。前記オフライン上の広告媒体に広告を掲載し、その広告の効果測定を希望する顧客（広告主）１０は、データベースサーバー３とウエブサーバー４及びメールサーバー５が備えられている情報管理装置２を有する広告効果測定事業者２０と、掲載する広告の内容、掲載時期、その他、必要事項を打ち合わせる（処理Ｐ１）。なお、前記情報管理装置２は、広告効果測定事業者２０が有していなくともよい。広告効果測定事業者２０は、前記広告に対応する広告情報ＭＩを決定し、顧客１０に通知する（処理Ｐ２）。広告の効果測定を希望する顧客１０は、前記広告効果測定事業者２０と打ち合わせた、例えば新聞などの媒体１００（図２（ｃ）参照）に前記広告情報ＭＩを掲載した広告を作成する。ここで、広告情報ＭＩとは、掲載する広告を特定できる情報であって、データベースサーバー３に格納されている、後述する図３に示す企業情報３１、広告情報３２、アンケート情報３３を関連づけるデータである。
【００３５】
図２（ｂ）により応募者募集の処理の概略について以下に説明する。前記広告効果測定事業者２０は、オフラインの各種媒体に掲載された広告に対するアンケートに回答する応募者の募集を、例えば、電車の中吊り広告、新聞、テレビなどの募集広告２００で行う。かかる募集広告２００には、前記広告効果測定事業者２０への応募登録用の「ＵＲＬ」ＲＭが同時に掲載されている。メール送受信機能とＷｅｂブラウザ機能を備えている応募者端末１１を有する応募者は、当該応募者端末１１に、前記応募登録用の「ＵＲＬ」ＲＭを入力し（処理Ｐ３）、当該応募者端末１１のＷｅｂブラウザ機能を用いて広告効果測定事業者２０が有する情報管理装置２に接続する（処理Ｐ４）。
【００３６】
情報管理装置２は、前記処理Ｐ４で応募者登録用の「ＵＲＬ」ＲＭに接続した応募者端末１１に対して、図４（ａ）に示すような、「会員規約」、「会員登録」、「対応機種」、「謝礼について」、「マイページのＵＲＬを忘れたかた」などが記載されたトップページ１１０を送信する（処理Ｐ５）。応募者は、会員登録を行うために、トップページ１１０に表示されている「会員登録」ＭＴＴを選択し、応募者端末１１の図示していない送信キーを押下して（処理Ｐ６）、図４（ｂ）に示すような、会員登録ページ１１２を情報管理装置２から受信する（処理Ｐ７）。
【００３７】
前記図４（ｂ）に示す会員登録ページ１１２には、情報管理装置２のメールサーバー５に接続可能なように、応募者登録用メールアドレスＭＡＤがリンクつきで表示されている。応募者が応募者登録用メールアドレスＭＡＤを選択し、件名、本文なしの空のメールを周知の方法によって情報管理装置２のメールサーバー５に送信する（処理Ｐ８）。情報管理装置２のメールサーバー５は、空のメールを受信すると、該空メールから応募者のメールアドレスＵＭを取得し、当該応募者端末１１から取得したメールアドレスＵＭを付して、図４（ｃ）に示す会員登録内容ページ１１１をウエブサーバー４から応募者端末１１に返信する（処理Ｐ９）。応募者端末１１に付与されたメールアドレスＵＭが、応募者端末１１の会員登録内容ページ１１１に表示されることで、応募者は自分宛てのメールであることを確認出来る。
【００３８】
会員登録内容ページ１１１には、応募者の属性を得るための情報ＵＩＩが表示されている。該応募者の属性を得るための情報ＵＩＩは、図３に示した応募者登録情報３４に格納されていて、図示していない応募者端末１１のキーにより選択されると、選択された項目が反転表示、或はカラー変更されるようになっている。全ての項目に入力した後に、「送信」１０２を選択して、当該応募者の属性を情報管理装置２に送信する（処理Ｐ１０）。入力した項目に誤りがある場合には、該当する項目を再度選択し、情報をクリアする。また、全ての情報を初期状態にするには、「リセット」１０３を選択する。なお、後述する図５に示すような当該応募者固有のページ（以下マイページと称する。）に戻る時には、「マイページに戻る」１０４を選択する。
【００３９】
情報管理装置２は、前記応募者の属性をウエブサーバー４で受信すると、データベースサーバー３の応募者属性格納手段に応募者情報（応募者属性）３０（図３参照）として格納し、メールサーバー５は、図４（ｄ）に示すような登録完了メール１１３を前記応募者端末１１に送信する（処理Ｐ１１）。登録完了メール１１３には、少なくとも応募者管理情報ＵＩ（会員番号）１０５と、応募者端末毎に定められた「ＵＲＬ」ＭＵとが表示されている。前記応募者端末毎に定められた「ＵＲＬ」ＭＵは、周知のブックマークなどによって応募者端末１１に保存される。
【００４０】
前記応募者端末毎に定められた「ＵＲＬ」の情報は、予め定められた応募者用「ＵＲＬ」に接続した応募者端末１１に情報管理装置２から送信された応募者登録用メールアドレスＭＡＤリンクつきＷｅｂページの前記応募者登録用メールアドレスＭＡＤに応募者端末１１から送信した送信メールに対して返信される、返信メールに含まれている。このことにより、応募者登録用メールアドレスＭＡＤに接続するだけで前記応募者端末毎に定められた「ＵＲＬ」を受信でき、Ｗｅｂを１度終了して、再度メールに接続をしなくてもよく、応募者端末１１の操作が簡単である。また、受信した前記応募者端末毎に定められた「ＵＲＬ」は、そのままブックマークに登録できるので、一度保存すれば、前記応募者端末毎に定められた「ＵＲＬ」により、異なる媒体に掲載された広告へも容易に応募することができる。
【００４１】
前記応募者端末毎に定められた「ＵＲＬ」ＭＵは、メールサーバー５により以下のようにして決定される。応募者端末１１に付与されたメールアドレスをＵＭとする。情報管理装置２は、メールサーバー５により、応募者端末固有「ＵＲＬ」作成プログラム５３（図１参照。）を起動し、前記メールアドレスＵＭを暗号化して、例えば３２桁の文字列Ｋに変換する。該暗号化は、固定長の疑似乱数として周知のハッシュ関数を使用して「ハッシュ値」を生成し、生成されたハッシュ値を前記文字列Ｋとする。情報管理装置２が指定するホスト名とディレクトリを、それぞれ「ａａａａａａ．ｂｂｂ」、「ｃｃｃｃｃｃ」とし、暗号化された前記メールアドレスＵＭをサブディレクトリとして応募者端末毎に定められた「ＵＲＬ」ＭＵを構成し、該「ＵＲＬ」ＭＵは、ｈｔｔｐ：／／ａａａａａａ．ｂｂｂ／ｃｃｃｃｃｃ／Ｋと表す。ここで、ａ、ｂ、ｃ、Ｋは、インターネットで使用を許されている任意の英字、数字、記号である。
【００４２】
前記応募者端末毎に定められた「ＵＲＬ」は、少なくとも前記応募者端末に付与されたメールアドレスＵＭを固定長の疑似乱数で表したデータを含むことにより、情報管理装置２が指定するＵＲＬは、応募者端末１１毎にそれぞれ異なるものにできる。固定長の疑似乱数として周知のハッシュ関数を使用した場合、生成した「ハッシュ値」は、不可逆な一方向関数を含むため、ハッシュ値から原文を再現することはできず、また同じハッシュ値を持つ異なるデータを作成することは極めて困難である。その結果、応募者端末１１と一義的に対応して該応募者端末１１に付与されたメールアドレスＵＭを固定長の疑似乱数として情報管理装置が指定するＵＲＬの一部とすることで、応募者毎に重複のない応募者端末毎に定められた「ＵＲＬ」を確保できる。
【００４３】
前記応募者管理情報ＵＩ（会員番号）は、例えば、応募者の登録順につけた番号などであり、メールサーバー５により応募者端末毎に定められた「ＵＲＬ」ＭＵを発行する毎に応募者端末固有「ＵＲＬ」作成プログラム５３によって付与される。応募者は、前記応募者管理情報ＵＩ（会員番号）により情報管理装置２上の名前を把握できる。また、情報管理装置２内では、前記応募者管理情報ＵＩ（会員番号）と応募者端末１１に付与されたメールアドレスＵＭ及び応募者端末毎に定められた「ＵＲＬ」ＭＵとが対応づけて図３の応募者情報３０としてデータベースサーバー３の図示していない応募者属性格納手段に格納されている。
【００４４】
図２（ｃ）により広告効果測定の処理の概略について以下に説明する。応募者端末毎に定められた「ＵＲＬ」ＭＵを情報管理装置２から受信した応募者は、応募者端末１１を前記応募者端末毎に定められた「ＵＲＬ」ＭＵに接続することにより、広告効果測定事業者２０が情報管理装置２によって管理する、以下のアンケートに応募することが出来る。広告の効果測定を希望する顧客１０は、前記広告効果測定事業者２０と打ち合わせた媒体１００に、前記広告効果測定事業者２０が決定した、前記広告情報ＭＩが載せられた広告を作成する。かかる広告として、例えば新聞または折りこみ広告等の媒体１００に掲載された広告がある。前記新聞または折りこみ広告は、購読者により購読する新聞がある程度定まり、購読する購読層が特定できることや、購読地域が限定できることなどから対象が絞れ、広告効果の数値化が比較的容易である。また、新聞以外にも中吊り広告や電光掲示板、テレビなど、各種のオフラインの広告媒体にも利用できる。
【００４５】
応募者が、応募者端末１１のＷｅｂページ閲覧機能により前記応募者端末毎に定められた「ＵＲＬ」ＭＵを有する情報管理装置２に接続する（処理Ｐ１２）と、ウエブサーバー４は、データベースサーバー３に前記応募者端末毎に定められた「ＵＲＬ」ＭＵを送信する。データベースサーバー３は、図３に示す応募者情報３０を検索し、前記応募者端末毎に定められた「ＵＲＬ」ＭＵの正当性を確認し、その結果をウエブサーバー４に送信する。正当であれば、応募者端末１１は、情報管理装置２へのアクセス権を取得し、ウエブサーバー４から図５に示すようなマイページ１１４を表示するための情報を応募者端末１１に送信し、不正であれば、情報管理装置２へのアクセス権を得られず、エラーメッセージが応募者端末１１に送信される（処理Ｐ１３）。
【００４６】
また、応募者のメールアドレスは、登録時に一度だけ空のメールを送信するだけである。そして応募者は、アンケートに応募する場合、広告媒体などに掲載されている広告毎に定められたメールアドレスに空のメールを送信せず、前記応募者端末毎に定められた「ＵＲＬ」で示される情報管理装置２に接続するので、応募者のメールアドレスを変更した場合でも新たな応募者として登録されない。その結果、応募者のメールアドレスを変更しても、応募に対して与えられるポイントなどのインセンティブが無効にならない。更に、前記応募者端末毎に定められた「ＵＲＬ」で示される情報管理装置２に接続するので、該応募者端末毎に定められた「ＵＲＬ」さえ分っていれば、固定された応募者端末１１でなくともアンケートに応募することができる。例えば、自分の応募者端末１１をその場に持ち合わせていなくとも、友人などの応募者端末１１からでもアンケートに応募することができる。
【００４７】
前記マイページ１１４には、少なくとも応募者端末毎に定められた「ＵＲＬ」ＭＵ、広告情報ＭＩ入力欄５０１、ポイント残ＲＰがそれぞれ表示されている。登録された応募者には、広告媒体による広告効果測定の応募に対するインセンティブとしてアクセス奨励情報（ポイント）を付与し、応募者は得られたポイント数に相当する金券、商品券、予め用意された商品、提携企業の商品等と交換することができる。前記ポイント残ＲＰは、アクセス奨励情報として残されているポイント数がデータベースサーバー３により管理され前記マイページ１１４に表示される。
【００４８】
前記応募者端末１１が前記応募者端末毎に定められた「ＵＲＬ」で示される情報管理装置２に接続し、該情報管理装置２により接続が許可されることにより応募者端末１１の前記情報管理装置２へのアクセス権が得られるので、情報管理装置２でのパスワードの認証、及びパスワードの管理などの処理を必要とせず、情報管理装置２の処理が簡略化できると共に、アクセスの高速化が図れる。
【００４９】
その他、ロゴマーク５０３、その他、処理に参考となる情報５０４、本広告効果測定事業者２０への連絡先５０５などを表示してもよい。処理に参考となる情報５０４には、マイページ１１２に対する注意事項１１５（図５（ｃ）参照。）、ポイントの交換について、商品発送先の登録及び変更について、会員（応募者）登録内容の変更（図４（ｃ）参照。）、対象広告掲載予定日、処理画面トップに戻る項目などがある。対象広告掲載予定日は、オフラインの各種媒体に掲載された広告情報をその場で入力し、応募者端末１１から情報管理装置２に送信して、アンケート情報に回答することのできる広告を掲載する、例えば図５（ｂ）に示す予告情報画面１１６のような、予定日と共に、広告主、広告媒体名及び掲載場所の直近の５件を表示した予告情報である。
【００５０】
応募者端末１１には、対象広告の掲載予定日と共に、広告主、広告媒体名及び掲載場所が表示されることによって、応募者は次のアンケートに回答する日を容易に知ることができると共に、かかる対象広告の掲載予定日を応募者端末１１のスケジュール管理に登録することにより、応募者は容易に当該掲載予定日であることを知ることができ、アンケートの回答に意欲を持たせることができる。また、広告主、広告媒体名及び掲載場所が表示されることによって、応募者は、広告が掲載されている場所を探す必要がなく、応募に対する意欲の低下が生じない。また、その時点でスポンサーの名前を知らせることが出来、広告効果を促進する。
【００５１】
応募者は、マイページ１１４に表示された広告情報ＭＩ入力欄５０１に、オフライン上の広告媒体に掲載した広告と一緒に掲載されている広告情報ＭＩを入力して図示していない送信キーを押下して、応募者端末１１から情報管理装置２に送信する（処理Ｐ１４）。情報管理装置２のウエブサーバー４は、応募者端末１１から受信した広告情報ＭＩを用いて、当該広告情報ＭＩに対応付けられたアンケート画面（図６（ａ）参照。）１１７をデータベースサーバー３から検索して応募者端末１１に送信する（処理Ｐ１５）。応募者は、前記アンケート画面１１７の各項目に対して応募者端末１１の図示していない選択キーにより逐次回答（選択）する。該回答結果は、応募者端末１１に一次保存され、応募者による図示していない送信キーの押下、或は、応募者端末１１に表示されている送信項目の選択により前記一次保存されている回答結果が情報管理装置２に一括して送信される（処理Ｐ１６）。
【００５２】
図３に示したデータベースサーバー３に格納されている情報のデータ構造について以下に説明する。図３において、応募者情報３０は、応募者の属性を示す情報であってデータベースサーバー３の図示していない応募者属性格納手段に格納されている。前記応募者情報３０は、応募者管理情報ＵＩ、応募者メールアドレスＵＭ、氏名ＮＭ、年齢ＥＧ、獲得ポイントＴＰ、ポイント残ＲＰ、応募者端末毎に定められた「ＵＲＬ」ＭＵ、その他、図３の応募者情報３０に示す電話番号、性別、生年月日、婚姻歴、家族構成、職業、住所、ポイント交換日などの情報からなり、図４（ｃ）に示したような会員登録内容ページ１１１で応募者が選択あるいは入力した項目に対応した情報が、応募者端末１１から情報管理装置２のウエブサーバー４に送信され、データベースサーバー３の図示していない応募者属性格納手段にそれぞれ格納される。
【００５３】
応募者端末毎に定められた「ＵＲＬ」ＭＵは、前述したようにメールサーバー５が作成する。また、年齢ＥＧは、メールサーバー５あるいはデータベースサーバー３により応募者が入力した生年月日から求めてもよく、あるいは、応募者が直接入力するようにしてもよい。応募者管理情報ＵＩは、前述したようにデータベースサーバー３によって作成され、前記応募者端末毎に定められた「ＵＲＬ」ＭＵの一部を構成する。例えば、前記応募者管理情報ＵＩを顧客１０と対応付けて決定することにより、異なる顧客１０毎に管理することができる。即ち、応募者管理情報ＵＩを識別することによって、複数の顧客の異なる広告効果測定を同一の情報管理装置２により容易に行える。
【００５４】
企業情報３１は、広告の効果測定を希望する顧客（広告主）１０を管理する情報である。顧客名ＣＮ、顧客名ＣＮに対応した顧客情報ＣＩ、広告情報ＭＩ、顧客の属性としての住所、電話番号、顧客メールアドレスなどから構成されている。前記顧客情報ＣＩはデータベースサーバー３により作成され、情報管理装置２の処理を簡略化するために顧客番号などの形態で格納されている。前記広告情報ＭＩは、同一顧客１０が異なる広告効果の測定をする場合に用いられ、例えば、広告内容が異なる場合、あるいは、同一広告であっても、掲載する新聞が異なる場合、広告掲載日が異なる場合などには、異なる広告情報ＭＩを付す。かかる広告情報ＭＩは、前述したように、広告媒体に、広告と一緒に掲載され、顧客募集の時に広告効果測定事業者２０により決定される。
【００５５】
前記複数個の広告情報ＭＩに対応して複数個（図３では１つのみ表示してある。）の広告情報３２がデータベースサーバー３により作成される。例えば、Ｎ個目の広告情報Ｎに対応した広告情報３２は、図３に示すように、前記顧客１０を特定する顧客情報ＣＩと、該顧客の広告を特定する広告情報ＭＩと、該広告情報ＭＩに対応した、広告タイトル、広告掲載日、広告サイズ、広告掲載面、色等の広告の属性を示す情報と、該広告のアンケートに回答した応募者に与えるインセンティブとしての設定ポイントＰＴ、年代別の取得サンプル数ＳＮから構成されている。年代別の取得サンプル数ＳＮは、同一年代で収集するアンケート回答の数を制限するものであり、当該広告の無駄なデータの収集をなくすことが出来る。更に、当該アンケートに答えたことのアクセス奨励として与えられる、賞金、商品などの制限を行うことができ、広告主の無駄な出費を抑える。なお、前記応募者管理情報ＵＩ、顧客情報ＣＩ、広告情報３２は、データベースサーバー３以外に、情報管理装置２に管理用処理装置を設け、かかる処理装置により作成するようにしてもよい。
【００５６】
アンケート情報３３は、前記顧客１０を特定する顧客情報ＣＩと、該顧客の広告を特定する広告情報ＭＩと、該広告情報ＭＩに対応した任意の数の具体的な設問ＱＱとから構成されている。応募者登録情報３４は、図４（ｃ）に示す会員登録内容ページ１１１を表示し前記応募者情報３０を入力するためのフォーマット情報であり、応募者のメールアドレスＵＭと応募者の属性を得るための情報ＵＩＩとから構成されている。なお、前記応募者端末１１が送受信するデータ量は、応募者の通信料金と回答時間を低減するためと、処理の高速化のために、応募者端末１１が送受信可能な１パケット或は数パケット以内のデータ量であることが好ましい。
【００５７】
前述した応募者募集の処理の詳細について以下に説明する。前述したように、応募者募集は、アンケートに応募する応募者の属性を情報管理装置２に格納し、収集したアンケートの解析に使用する情報を収集するものである。かかる情報管理装置２の処理は、以下のようにしてなされる。前述したように処理Ｐ３から処理Ｐ８までの処理がなされる。情報管理装置２のメールサーバー５は、メール送受信プログラム５０により、前記応募者端末１１との間のメールの送受信を行い処理Ｐ８において空のメールを受信すると、メール解析プログラム５１により該空メールから応募者のメールアドレスＵＭを取得して該応募者のメールアドレスＵＭをデータベースサーバー３に送信する。
【００５８】
データベースサーバー３は、図３に示した応募者情報３０内を検索し、応募者のメールアドレスＵＭの重複を確認し、その結果をメールサーバー５に送信する。メールサーバー５は、応募者のメールアドレスＵＭの重複がない場合、応募者端末毎に定められた「ＵＲＬ」ＭＵと応募者管理情報ＵＩ（会員番号）とを応募者端末固有「ＵＲＬ」作成プログラム５３によって発行する。データ登録プログラム５２は、前記応募者端末毎に定められた「ＵＲＬ」ＭＵと応募者管理情報ＵＩ（会員番号）及び応募者のメールアドレスＵＭとをデータベースサーバー３に送信し、データベースサーバー３により図示していない応募者属性格納手段の図３に示した応募者情報３０の一部として格納される。
【００５９】
データベースサーバー３は、前記応募者端末毎に定められた「ＵＲＬ」ＭＵと応募者管理情報ＵＩ（会員番号）及び応募者のメールアドレスＵＭとを応募者情報３０の一部として格納する。ウエブサーバー４は、データベースサーバー３から、応募者端末１１に図４（ｃ）に示すような登録内容１１１を表示する、メールアドレスＵＭと応募者の属性を得るための情報ＵＩＩとで構成される応募者登録情報３４（図３（ｃ）参照。）を受信する。即ち、応募者端末１１に付与された応募者のメールアドレスＵＭを付して、図４（ｃ）に示す会員登録内容ページ１１１をウエブサーバー４から応募者端末１１に返信する（処理Ｐ９）。なお、前記応募者のメールアドレスＵＭに重複がある場合、ウエブサーバー４またはメールサーバ５により応募者端末１１にエラーメッセージを送信する。
【００６０】
図４（ｃ）に示すように、応募者端末１１には、応募者が自分宛てのメールであることを確認出来るように、前記メールアドレスＵＭが表示される。また、応募者の属性を得るための情報ＵＩＩが表示される。該応募者の属性を得るための情報ＵＩＩは、図示していない応募者端末１１のキーにより選択されると、選択された項目が反転表示、或はカラー変更されるようになっている。全ての項目に入力した後に、送信１０２を選択して、当該応募者の属性をウエブサーバー４に送信する（処理Ｐ１０）。入力した項目に誤りがある場合には、該当する項目を再度選択し、情報をクリアする。また、全ての情報を初期状態にするには、リセット１０３を選択する。なお、図５に示すマイページ１１４に戻る時には、項目１０４を選択する。
【００６１】
応募者端末１１から送信された前記応募者の属性をウエブサーバー４が受信し、データベースサーバー３は、該属性の応募者管理情報ＵＩ（会員番号）及び／又は応募者のメールアドレスＵＭを参照し、該当する応募者の応募者情報（応募者属性）３０に受信した前記属性を格納する。データベースサーバー３は、前記応募者情報（応募者属性）３０を格納した応募者に対して応募者端末毎に定められた「ＵＲＬ」ＭＵを送信するために、メールサーバー５に前記応募者端末毎に定められた「ＵＲＬ」ＭＵと応募者のメールアドレスＵＭとを送信する。メールサーバー５は、データベースサーバー３から受信したメールアドレスＵＭを有する応募者端末１１に対して図４（ｄ）に示すような応募者管理情報ＵＩ（会員番号）と応募者端末毎に定められた「ＵＲＬ」ＭＵとを含む、登録完了メール１１３を送信する。応募者は、前記応募者端末毎に定められた「ＵＲＬ」ＭＵを受信し、ブックマークなどにより当該応募者端末毎に定められた「ＵＲＬ」ＭＵを応募者端末１１に保存して応募者募集が終了する。
【００６２】
なお、前記応募者端末毎に定められた「ＵＲＬ」ＭＵを忘れた場合には、応募者は、応募者端末１１に応募登録用の「ＵＲＬ」ＲＭを入力し（処理Ｐ３）、当該応募者端末１１のＷｅｂブラウザ機能を用いて広告効果測定事業者２０が有する情報管理装置２に接続して、図４（ａ）に示したトップページ１１０を受信し、「マイページのＵＲＬを忘れたかた」を選択する。ウエブサーバー４は、係る情報を受信すると情報管理装置２は、前記処理Ｐ４乃至Ｐ８を繰り返し、メールサーバー５からメールアドレスＵＭを有する応募者端末１１に対して図４（ｄ）に示すようなに登録済みの応募者管理情報ＵＩ（会員番号）と応募者端末毎に定められた「ＵＲＬ」ＭＵとを含むメールが返信メールとして送信される。
【００６３】
前記予め定められた応募者登録用「ＵＲＬ」に接続した応募者端末１１に、情報管理装置２から送信された応募者登録用メールアドレスリンクつきＷｅｂページの前記応募者登録用メールアドレスに応募者端末１１から送信した送信メールに対する、返信メールに応募者端末毎に定められた「ＵＲＬ」の情報が含まれている。応募者端末１１から応募者登録用の「ＵＲＬ」ＲＭに送信したメールアドレスが既に登録されている場合には、既に登録済みの応募者端末毎に定められた「ＵＲＬ」の情報を返信メールとして送信することにより、応募者が応募者端末毎に定められた「ＵＲＬ」を忘れても、応募者端末１１を用いて応募者登録用メールアドレスに接続し、空メールを送信するだけで、応募者端末毎に定められた「ＵＲＬ」を入手できる。
【００６４】
前述した広告効果測定の処理の詳細について以下に説明する。管理装置２から応募者端末毎に定められた「ＵＲＬ」ＭＵを応募者端末１１により受信した応募者は、応募者端末１１により前記応募者端末毎に定められた「ＵＲＬ」ＭＵに接続することにより、広告効果測定事業者２０が情報管理装置２によって管理されるアンケートに応募することが出来る。応募者は、応募者端末１１のＷｅｂページ閲覧機能を起動し、前記応募者端末毎に定められた「ＵＲＬ」ＭＵで示されるＷｅｂページに接続する（処理Ｐ１２）。応募者端末１１がウエブサーバー４に接続されると、ウエブサーバー４は、データベースサーバー３に前記応募者端末毎に定められた「ＵＲＬ」ＭＵを送信する。
【００６５】
データベースサーバー３は、図３に示す応募者情報３０を検索し、前記応募者端末毎に定められた「ＵＲＬ」ＭＵの正当性を確認し、その結果をウエブサーバー４に送信する。正当であれば、応募者端末１１は、情報管理装置２へのアクセス権を取得し、ウエブサーバー４から図５に示すようなマイページ１１４を表示するための情報を応募者端末１１に送信し、図５（ａ）に示すようなマイページ１１４を表示するための情報を応募者端末１１に送信する。不正であれば、情報管理装置２へのアクセス権を得られず、エラーメッセージが応募者端末１１に送信される（処理Ｐ１３）。前記マイページ１１４には、少なくとも応募者端末毎に定められた「ＵＲＬ」ＭＵ、広告情報ＭＩの入力欄５０１、アクセス奨励情報（ポイント残）ＲＰがそれぞれ表示されている。
【００６６】
情報管理装置２は応募者属性格納手段を備え、応募者端末１１が該応募者端末毎に定められた「ＵＲＬ」で示される情報管理装置２に接続された時、当該応募者端末１１には、少なくとも、応募者属性格納手段内にある当該情報管理装置２によって与えられる応募者端末毎に定められた（ポイント残）ＲＰが表示されることによって、応募者は情報管理装置２への接続確認を出来ると共に、広告情報ＭＩに対応付けられたアンケートの回答に意欲を持たせることができる。
【００６７】
応募者は、マイページ１１４に表示された広告情報ＭＩの入力欄５０１に、オフライン上の広告媒体に掲載した広告と一緒に掲載されている広告情報ＭＩを入力し、応募者端末１１の図示していない送信ボタンを押下して前記広告情報ＭＩをウエブサーバー４に送信する（処理Ｐ１４）。ウエブサーバー４は、広告情報管理プログラム４１を起動し、応募者端末１１から受信した広告情報ＭＩを用いて、応募者端末１１に図６（ａ）のようなアンケート画面１１７を表示するための当該広告情報ＭＩに対応付けられたアンケート情報３３を得る。応募者端末１１に表示される図６（ａ）には、広告タイトルＡＴ、広告掲載日ＡＤ、広告主ＣＮ及びアンケートの設問ＱＱ以外に、今回のアンケートに答えたことに対するインセンティブとして設定ポイントＰＴ（アクセス奨励情報）が表示されている。
【００６８】
ウエブサーバー４は、広告情報ＭＩに対応付けられたアンケート情報３３を以下のようにしてデータベースサーバー３から得る。アンケート画面１１７を表示するためのアンケート情報３３は、図３に示すように、データベースサーバー３に格納されている。ウエブサーバー４は、広告情報管理プログラム４２を起動し、応募者端末１１から受信した広告情報ＭＩをデータベースサーバー３に送信する。データベースサーバー３は、前記広告情報ＭＩを企業情報３１から検索し、前記広告情報ＭＩが格納されている企業情報３１が検索されると、該企業情報３１内の広告情報ＭＩと関連付けられている広告情報３２から年代別の取得サンプル数ＳＮを読み出す。
【００６９】
前記年代別の取得サンプル数ＳＮがある場合には、データベースサーバー３は、前記応募者端末毎に定められた「ＵＲＬ」ＭＵから該当する応募者の応募者情報３０の年齢ＥＧを読み出し、後述図示していないアンケート結果格納手段に格納されている、既に取得されたアンケート情報のサンプル数と前記年代別の取得サンプル数ＳＮとを比較する。その結果、既に取得されたアンケート情報のサンプル数が、応募者の年齢層毎に予め定められたサンプル数ＳＮに達した時、データベースサーバー３は、ウエブサーバー４にアクセス拒否を通知し、当該年齢層応募者のアクセス権は拒否される。
【００７０】
前記情報管理装置２内のアンケート情報の取得されたサンプル数が、当該応募者端末１１を使用する応募者の年齢層毎に予め定められたサンプル数ＳＮに達した時、当該年齢層応募者のアクセス権は、前記情報管理装置２により拒否されることにより、無駄な情報の収集をなくすことが出来る。更に、当該アンケートに答えたことのアクセス奨励として与えられる、賞金、商品などの制限を行うことができ、広告主の無駄な出費を抑えることができる。
【００７１】
前記アクセス権が得られた場合には、データベースサーバー３は、前記広告情報ＭＩを企業情報３１から検索し、前記広告情報ＭＩが格納されている企業情報３１が検索されると、該企業情報３１内の広告情報ＭＩと関連付けられている広告情報３２から設定ポイントＰＴ、広告タイトルＡＴ、広告掲載日ＡＤ、広告主ＣＮを読み出す。また、広告情報ＭＩと関連付けられているアンケート情報３３から設問ＱＱを読み出して、それぞれウエブサーバー４に送信する。ウエブサーバー４は、受信した前記情報を図６（ａ）に示すようなアンケート画面１１７として応募者端末１１に送信する（処理Ｐ１５）。
【００７２】
応募者が応募者端末１１に表示された図６（ａ）に示すようなアンケート画面１１７の各質問の解答欄に逐一チェックすると、（図６（ａ）では、黒い四角形で示してある。）該回答結果は応募者端末１１に一次保存される。応募者による図示していない送信キーの押下、或は、応募者端末１１に表示される送信項目の選択により回答結果をウエブサーバー４に一括して送信する（処理Ｐ１６）。
【００７３】
ウエブサーバー４は、前記アンケート情報３３に対応する回答を応募者端末１１から受信して、応募者の前記応募者端末毎に定められた「ＵＲＬ」ＭＵと共にデータベースサーバー３に送信する。データベースサーバー３は、図示していないアンケート結果格納手段に前記アンケート情報３３に対応する回答を応募者の前記応募者端末毎に定められた「ＵＲＬ」ＭＵに関連付けて格納すると共に、前記応募者端末毎に定められた「ＵＲＬ」ＭＵの応募者情報３０にあるポイント残ＲＰと、前記設定ポイントＰＴとを加算し、応募者情報３０にある獲得ポイントＴＰを更新して格納する。また、年代別の取得サンプル数が定められている場合には、既に取得されたアンケート情報のサンプル数を更新して前記アンケート結果格納手段に格納する。
【００７４】
ウエブサーバー４は、図６（ｂ）に示すような、更新された獲得ポイントＴＰと共に、次回のアンケート実施予定の案内、及び送信完了のメッセージを表示する画面１１８の情報を応募者端末１１に送信する。応募者は、前記送信完了メッセージ画面１１８を受信し、「マイページトップに戻る」項目を押下してマイページトップに戻る。なお、前記広告効果測定において収集し、アンケート結果格納手段に格納したデータの解析、解析されたデータを定量化して広告効果として前記顧客に通知することは、本願発明の主旨ではないので、説明を省略するが、通常の市場分析手法、その他の周知のデータ解析手法により実現することが出来る。
【００７５】
情報管理装置２は応募者属性格納手段を備え、アンケート情報３３に対応する回答情報を応募者端末１１から受信して、前記応募者属性格納手段内にある当該情報管理装置２によって与えられる応募者端末毎に定められたアクセス奨励情報（獲得ポイントＴＰ）を更新することによって、情報管理装置２に回答が正常に受けつけられたことを確認出来ると共に、前記広告情報ＭＩに対応付けられたアンケートの回答に意欲を持たせることができる。
【００７６】
前記広告効果測定装置を用いた広告効果測定方法について以下に説明する。該広告効果測定方法は、前記広告効果測定装置を利用する広告効果測定方法であり、当該広告効果測定装置の詳細は既に述べてあり、以下では当該広告効果測定装置の説明を省略する。応募者端末１１から広告効果測定事業者２０への応募登録用「ＵＲＬ」ＲＭに接続して応募者登録を行って応募者端末毎に定められた「ＵＲＬ」ＭＵを取得する。一方、オフライン上の広告媒体１００に掲載した広告の広告効果測定を希望する顧客と情報管理装置２を有する広告効果測定事業者２０との間で、少なくともオフライン上の広告媒体１００に掲載された広告を特定する広告情報ＭＩを決定する。
【００７７】
前記応募者端末毎に定められた「ＵＲＬ」ＭＵにより、インターネットを介して接続される前記情報管理装置２のアクセス権を取得する。前記応募者端末１１から前記広告情報ＭＩを前記情報管理装置２に送信し、前記広告情報ＭＩに関連した年代別の取得サンプル数ＳＮがある場合には、当該応募者の数が前記年代別の取得サンプル数ＳＮに達したかの確認が行われる。当該応募者の数が前記年代別の取得サンプル数ＳＮに達している場合には、アクセス権は拒否され、達していない場合には、前記受信された広告情報ＭＩに対応するアンケート情報３３を前記情報管理装置２から前記応募者端末１１に送信する。該送信されたアンケート情報３３に基づき前記応募者端末１１から前記情報管理装置２にアンケート回答情報を送信することによってアンケート回答情報の収集を行い広告効果測定を行う。
【図面の簡単な説明】
【００７８】
【図１】本発明の広告効果測定装置のブロック図である。
【図２】本発明の広告効果測定装置の処理説明図である。
【図３】本発明の情報管理装置におけるデータベースサーバーのデータ構造の一例を示す図である。
【図４】本発明の応募者登録時の各ページを示す一例である。
【図５】本発明の応募者端末毎に定められたページの一例である。
【図６】本発明のアンケート情報の一例である。
【符号の説明】
【００７９】
１  通信事業者基地局、２  情報管理装置、３  データベースサーバー、４  ウエブサーバー、５  メールサーバー、９  インターネット通信回線、１０  顧客（広告主）、１１  携帯無線端末、２０  広告効果測定事業者、１００  媒体、２００  募集広告
【図１】
2005085135.tif 000003
【図２】
2005085135.tif 000004
【図３】
2005085135.tif 000005
【図４】
2005085135.tif 000006
【図５】
2005085135.tif 000007
【図６】
2005085135.tif 000008